(57)【要約】【課題】色の彩度を強調可能な画像色の調整方法及びその電子装置を提供する。【解決手段】画像処理機能を具備した電子装置に用いられる画像色調整方法であって、該画像色調整方法は、画像受信ユニットが、画像の第１の色空間における複数セットの第１の画素データを取得し、画像処理ユニットが、該第１の画素データに対して色彩空間変換を行い、該画像のCIELAB色空間における複数セットの第２の画素データを取得し、各該第２の画素データは輝度成分(L*)、第１の色成分(a*)及び第２の色成分(b*)を含み、該第２の画素データにおける該第１の色成分(a*)と該第２の色成分を調整することにより、複数セットの第３の画素データを取得し、該第３の画素データに対して色空間変換を行うことにより、該第１の色空間において、該第３の画素データに対応する複数の第４の画素データを取得する、ことを含む。【選択図】図２
2014220815.tif 000002
【特許請求の範囲】
【請求項１】
画像処理機能を具備した電子装置に用いられる画像色調整方法であって、該画像色調整方法は、
画像受信ユニットが、画像の第１の色空間における複数セットの第１の画素データを取得し、
画像処理ユニットが、該第１の画素データに対して色彩空間変換を行い、該画像のCIELAB色空間における複数セットの第２の画素データを取得し、各該第２の画素データは輝度成分(L*)、第１の色成分(a*)及び第２の色成分(b*)を含み、
該第２の画素データにおける該第１の色成分(a*)と該第２の色成分を調整することにより、複数セットの第３の画素データを取得し、
該第３の画素データに対して色空間変換を行うことにより、該第１の色空間において、該第３の画素データに対応する複数の第４の画素データを取得する、
ことを含むことを特徴とする画像色調整方法。
【請求項２】
請求項１に記載の画像色調整方法において、該第１の色空間は赤-緑-青（ＲＧＢ）色空間であり、かつ各該第１の画素データと各該第４の画素データはそれぞれ赤色成分（Ｒ）、緑色成分（Ｇ）及び青色成分（Ｂ）を含む、
ことを特徴とする画像色調整方法。
【請求項３】
請求項１又は２のいずれか一項に記載の画像色調整方法において、該画像色調整方法は、色調整モデルは、第２の画素データの前記第１色成分(a*)及び第２の色成分を調整するために使用され、該色調整モデルは、
【数１】
2014220815.tif 000009
・・・・（式１）
で表され、（式１）においてＸは入力された該第１の色成分(a*)若しくは第２の色成分(b*)であり、f(x)は第１の色成分(a*)若しくは該第２の色成分(b*)が０〜１の範囲の間にマッピングされた色マッピングの値であり、パラメーターｔとγは制御パラメータであり、パラメータｐとｑは制限パラメータであり、g(x)は色マッピングの値f(x)を該色調整モデルを経て調整した後の色調整値である、
ことを特徴とする画像色調整方法。
【請求項４】
請求項３に記載の画像色調整方法において、該制御パラメータγとｔは、それぞれ０≦γ≦４、並びに０．９９≦ｔ≦１．９１の範囲であり、制限パラメータｐとｑはそれぞれ０＜ｐ≦２、並びに０＜ｑ≦１の範囲である、
ことを特徴とする画像色調整方法。
【請求項５】
請求項１〜４のいずれか一項に記載の画像色調整方法において、該第２画素データにおける該第１の色成分(a*)と該第２の色成分を調整するステップは、該第２画素データにおける第１の色成分(a*)と第２の色成分(b*)を増強することにより、第２画素データの色の飽和度(Color Saturation)を向上する、
ことを特徴とする画像色調整方法。
【請求項６】
請求項５に記載の画像色調整方法において、
該第１画素データに対して色空間変換を行い、該画像の第２の色空間における複数セットの第５の画素データを取得し、  
第５の画素データに対して皮膚の色の検出(Skin Color Detection)を行うことにより、該画像において皮膚色を呈する皮膚色区域を具備するか否かを判断し、
該画像中に該皮膚色区域がある場合には、該第２画素データの色飽和度を増強した後、部分的な該第２の画素データの該第１色成分(a*)と該第２の色成分(b*)を調整し、前記部分的な該第２の画素データは該画像において該皮膚色区域に対応する、
ことを特徴とする画像色調整方法。
【請求項７】
請求項６に記載の画像色調整方法において、該第２の色空間はHSV色空間であり、各該第５の画素データは色相成分（Ｈ）、飽和度成分（Ｓ）及び輝度成分（Ｖ）を含む画像色調整方法。
【請求項８】
画像処理機能を具備する電子装置であって、該電子装置は、
画像の第１の色空間における複数セットの第１の画素データを取得する画像受信ユニットと、
該画像受信ユニットに結合され、該第１の画素データに対して色彩空間変換を行い、該画像のCIELAB色空間における複数セットの第２の画素データを取得し、各該第２の画素データは輝度成分(L*)、第１の色成分(a*)及び第２の色成分(b*)を含み、該第２の画素データにおける該第１の色成分(a*)と該第２の色成分(b*)を調整することにより、複数セットの第３の画素データを取得し、該第３の画素データに対して色空間変換を行うことにより、該第１の色空間において、該第３の画素データに対応する複数の第４の画素データを取得する画像処理ユニットと、
該画像処理ユニットに結合され、該第４画素データにより組成される該画像を受信して表示するためのディスプレイスクリーンと、
を備えることを特徴とする電子装置。
【請求項９】
請求項８に記載の電子装置において、該第１の色空間は、
該第１の色空間は赤-緑-青（ＲＧＢ）色空間であり、かつ各該第１の画素データと各該第４の画素データはそれぞれ赤色成分（Ｒ）、緑色成分（Ｇ）及び青色成分（Ｂ）を含む、
ことを特徴とする電子装置。
【請求項１０】
請求項８又は９のいずれか一項に記載の電子装置において、該色調整モデルは、
【数２】
2014220815.tif 000010
・・・・（式１）
で表され、Ｘは入力された該第１の色成分(a*)若しくは第２の色成分(b*)であり、f(x)は第１の色成分(a*)若しくは該第２の色成分(b*)が０〜１の範囲の間にマッピングされた色マッピングの値であり、パラメーターｔとγは制御パラメータであり、パラメータｐとｑは制限パラメータであり、g(x)は該色マッピングの値f(x)を該色調整モデルを経て調整した後の色調整値である、
ことを特徴とする電子装置。
【請求項１１】
請求項１０に記載の電子装置において、該制御パラメータγとｔは、それぞれ０≦γ≦４、並びに０．９９≦ｔ≦１．９１の範囲であり、制限パラメータｐとｑはそれぞれ０＜ｐ≦２、並びに０＜ｑ≦１の範囲である、
ことを特徴とする電子装置。
【請求項１２】
請求項８〜１１のいずれか一項に記載の電子装置において、該画像処理ユニットは、該色調整モデルで該第２画素データにおける第１の色成分(a*)と第２の色成分(b*)を増強することにより、第２画素データの色の飽和度(Color Saturation)を向上する、
ことを特徴とする電子装置。
【請求項１３】
請求項１２に記載の電子装置において、
該画像処理ユニットは、
該第１画素データに対して色空間変換を行い、該画像の第２の色空間における複数セットの第５の画素データを取得するとともに、該第５の画素データに対して皮膚の色の検出(Skin Color Detection)を行うことにより、該画像において皮膚色を呈する皮膚色区域を具備するか否かを判断する皮膚の色の検出ユニットを含む、
ことを特徴とする電子装置。
【請求項１４】
請求項１３に記載の電子装置において、該第２の色空間はHSV色空間であり、各該第５の画素データは色相成分（Ｈ）、飽和度成分（Ｓ）及び輝度成分（Ｖ）を含む電子装置。
【発明の詳細な説明】
【技術分野】
【０００１】
本発明は画像処理方法及びその電子装置に関し、特に、色の彩度を強調可能な画像色の調整方法及びその電子装置に関する。
【背景技術】
【０００２】
ディスプレイの科学技術の進歩に伴い、画像表示機能は各種の電子装置において応用され、情報の伝達手段及び方法となっている。更に、使用者はその地点、場面、時間等の要素に基づいて、適した電子装置で関連する画像若しくは画面を再生することを選択する。具体的には、タブレットＰＣ等の携帯可能な装置若しくはテレビ等の大型家電で画像を再生する。しかし、如何なる装置で画像を再生しても、使用者に高品質の画像と比較的鮮やかな色を取得することができるようにさせるため、各種の異なる画像処理の方法が相次いで提供されており、かつ異なる装置において用いられている。
【０００３】
高品質な画像を追及する際に、画像の色の彩度を向上させることは、視聴者に更に鮮やかな色と比較的鮮明な画像を観賞させることができる。具体的には、画像の複数の画素データがＲＧＢ色空間において定義されるとき、画素データの赤色成分、緑色成分、若しくは青色成分を調整することにより画像の彩度を調整することが可能である。
【先行技術文献】
【特許文献】
【０００４】
【特許文献１】特開２００６−１９１６３７号公報
【発明の概要】
【発明が解決しようとする課題】
【０００５】
しかし、ＲＧＢ色空間において直接調整し、若しくは画像の単一の色彩成分を増強した場合には、往々にして画像の歪みを生じさせ、かつ、画像は調整後に鮮やかになり過ぎて疑似輪郭の現象を招く恐れもある。
【課題を解決するための手段】
【０００６】
本発明は、これらの問題を解決するため本発明は以下の構成を備える。
すなわち、本出願に係る発明は、画像処理機能を具備した電子装置に用いられる画像色調整方法であって、該画像色調整方法は、
画像受信ユニットが、画像の第１の色空間における複数セットの第１の画素データを取得し、
画像処理ユニットが、該第１の画素データに対して色彩空間変換を行い、該画像のCIELAB色空間における複数セットの第２の画素データを取得し、各該第２の画素データは輝度成分(L*)、第１の色成分(a*)及び第２の色成分(b*)を含み、
該第２の画素データにおける該第１の色成分(a*)と該第２の色成分を調整することにより、複数セットの第３の画素データを取得し、
該第３の画素データに対して色空間変換を行うことにより、該第１の色空間において、該第３の画素データに対応する複数の第４の画素データを取得する、
ことを含む。
【０００７】
また、画像色調整方法において、該第１の色空間は赤-緑-青（ＲＧＢ）色空間であり、かつ各該第１の画素データと各該第４の画素データはそれぞれ赤色成分（Ｒ）、緑色成分（Ｇ）及び青色成分（Ｂ）を含む。
【０００８】
また、画像色調整方法において、該画像色調整方法は、色調整モデルを利用して該第２画素データを調整して、該色調整モデルは：
【数１】
2014220815.tif 000003
・・・・（式１）
で表され、（式１）においてＸは入力された該第１の色成分(a*)若しくは第２の色成分(b*)であり、f(x)は第１の色成分(a*)若しくは該第２の色成分(b*)が０〜１の範囲の間にマッピングされた色マッピングの値であり、パラメーターｔとγは制御パラメータであり、パラメータｐとｑは制限パラメータであり、g(x)は色マッピングの値f(x)を該色調整モデルを経て調整した後の色調整値である。
【０００９】
また、画像色調整方法において、該制御パラメータγとｔは、それぞれ０≦γ≦４、並びに０．９９≦ｔ≦１．９１の範囲であり、制限パラメータｐとｑはそれぞれ０＜ｐ≦２、並びに０＜ｑ≦１の範囲である。
【００１０】
さらに、画像色調整方法において、該第２画素データにおける該第１の色成分(a*)と該第２の色成分を調整するステップは、該第２画素データにおける第１の色成分(a*)と第２の色成分(b*)を増強することにより、第２画素データの色の飽和度(Color Saturation)を向上する。
【００１１】
また、画像色調整方法において、該第１画素データに対して色空間変換を行い、該画像の第２の色空間における複数セットの第５の画素データを取得し、  
第５の画素データに対して皮膚の色の検出(Skin Color Detection)を行うことにより、該画像において皮膚色を呈する皮膚色区域を具備するか否かを判断し、
該画像中に該皮膚色区域がある場合には、該第２画素データの色飽和度を増強した後、部分的な該第２の画素データの該第１色成分(a*)と該第２の色成分(b*)を調整し、前記部分的な該第２の画素データは該画像において該皮膚色区域に対応する。
【００１２】
また、画像色調整方法において、該第２の色空間はHSV色空間であり、各該第５の画素データは色相成分（Ｈ）、飽和度成分（Ｓ）及び輝度成分（Ｖ）を含む。
【００１３】
更に、本出願に係る発明は、
画像処理機能を具備する電子装置であって、該電子装置は、
画像の第１の色空間における複数セットの第１の画素データを取得する画像受信ユニットと、
該画像受信ユニットに結合され、該第１の画素データに対して色彩空間変換を行い、該画像のCIELAB色空間における複数セットの第２の画素データを取得し、各該第２の画素データは輝度成分(L*)、第１の色成分(a*)及び第２の色成分(b*)を含み、該第２の画素データにおける該第１の色成分(a*)と該第２の色成分(b*)を調整することにより、複数セットの第３の画素データを取得し、該第３の画素データに対して色空間変換を行うことにより、該第１の色空間において、該第３の画素データに対応する複数の第４の画素データを取得する画像処理ユニットと、
該画像処理ユニットに結合され、該第４画素データにより組成される該画像を受信して表示するためのディスプレイスクリーンと、
を備える。
【００１４】
また、電子装置において、該第１の色空間は、
該第１の色空間は赤-緑-青（ＲＧＢ）色空間であり、かつ各該第１の画素データと各該第４の画素データはそれぞれ赤色成分（Ｒ）、緑色成分（Ｇ）及び青色成分（Ｂ）を含む。
【００１５】
また、電子装置において、該色調整モデルは、
【数２】
2014220815.tif 000004
・・・・（式１）
で表され、Ｘは入力された該第１の色成分(a*)若しくは第２の色成分(b*)であり、f(x)は第１の色成分(a*)若しくは該第２の色成分(b*)が０〜１の範囲の間にマッピングされた色マッピングの値であり、パラメーターｔとγは制御パラメータであり、パラメータｐとｑは制限パラメータであり、g(x)は該色マッピングの値f(x)を該色調整モデルを経て調整した後の色調整値である。
【００１６】
また、電子装置において、該制御パラメータγとｔは、それぞれ０≦γ≦４、並びに０．９９≦ｔ≦１．９１の範囲であり、制限パラメータｐとｑはそれぞれ０＜ｐ≦２、並びに０＜ｑ≦１の範囲である。
【００１７】
更に、電子装置において、該画像処理ユニットは、該色調整モデルで該第２画素データにおける第１の色成分(a*)と第２の色成分(b*)を増強することにより、第２画素データの色の飽和度(Color Saturation)を向上する。
【発明の効果】
【００１８】
このように、本発明は、本実施例で提供される画像色調整方法及び電子装置は、撮影においてその他の色空間の画素データを定義し、CIELAB色空間に変換し、かつ提出された色調整モデルによって、画像の歪みを生じさせない若しくは鮮やかになりすぎない状況下において、画像の色飽和度を調整することができる。また、画像色調整方法は画像におけいて皮膚の色を呈する色の領域が存在するか否かを検出し、かつ撮影中の皮膚の色の区域に対して、同様の色彩調整モデルを用いて調整を行うことにより、ディスプレイスクリーンに更に良質な画像における皮膚の色の区域を呈するようにさせることができる。
【００１９】
ここで図面を参照して本発明の実施例を説明する。なお、可能な場合には、図面及び実施例において同一の符号の構成は、同一又は関連する構成を表すものとする。
【図面の簡単な説明】
【００２０】
【図１】本発明の実施例に基づいて説明される電子装置のブロック図である。
【図２】本発明の実施例に基づいて説明される画像色の調整方法のフローチャートである。
【図３】本発明の他の実施例における画像色の調整方法のフローチャートである。
【図４】本発明の一実施例における色調整モデルのグラフである。
【発明を実施するための形態】
【００２１】
本実施例が提供する画像色の調整方法は、画像処理機能を具備した電子装置で用いられ、画像に対して色調整を行うことに適している。一般に、画像は複数の画素によって構成されるため、画像データはある一色の色空間(Color Space)において定められる複数の画素データを含み、CIELAB色空間において利用される色調整モデルは画像に対して色調整するため、画像の歪みを免れることができる。
【００２２】
図１は本発明の実施例に基づいて説明される電子装置のブロック図である。図１を参照すると、電子装置１００は、画像受信ユニット１２０、画像処理ユニット(Image Processing Unit, IPU)１４０、及びディスプレイスクリーン１６０を含み、かつ画像処理機能を具備して画像に対して色調整を行うことに適している。詳細には、画像受信ユニット１２０は外部から画像を受信し、かつ画像の複数のセットの画素資料を画像処理ユニット１４０に転送する。画像処理ユニット１４０は画像受信ユニット１２０に結合され、入力された画像に対して画像処理(Image Processing)を行う。処理を経た後の画像はディスプレイスクリーン１６０に出力され、かつディスプレイスクリーン１６０によって画像処理がなされた後の画像が表示される。ディプレイスクリーン１６０は液晶ディスプレイスクリーン(LCD Display)若しくはダイオードディスプレイスクリーン(LED Display)でも差し支えなく、本発明はこれらに限られない。
【００２３】
図２は本発明の実施例に基づいて説明される画像色の調整方法のフローチャートである。図１並びに図２を参照し、画像色の調整方法は以下のステップを含むように行われる。ステップＳ２２０において、画像受信ユニット１２０は、第１色空間において撮像された複数のセットの第１画素データを取得する。本実施例において、第１の色空間は赤-緑-青（ＲＧＢ）の色空間であり、各組の第１の画素データは、それぞれ赤色成分(Red Component)、緑色成分(Green Component)、及び青色成分(Blue Component)を含む。
【００２４】
更に、ステップＳ２４０において、画像処理ユニット１４０は上述した複数のセットの第１画素データを受信し、かつ第１画素データに対して色空間変換を行い、CIELAB色空間において撮像された複数セットの第２画像資料を取得する。CIELAB色空間には、第２画素データは輝度成分(Luminance Component, L*)、第１の色成分(First Color Component, a*)、第２の色成分(Second Color Component, b*)を含む。詳細には、輝度成分(L*)は、単一画素の輝度を表し、第１色成分(a*)は単一画素色が赤色と緑色（反対色）の間で偏向する程度を表し、第２色成分(b*)は単一画素色が黄色と青色（反対色）の間で偏向する程度を表す。CIELAB色空間においては視覚上の均一性を具備するため、CIELAB色空間において色調整を行い、比較的正確な視覚上感じられる色に対応するように変えることができる。
【００２５】
本実施例において、第１色空間は赤-緑-青の色空間であるが、注意すべきは、赤-緑-青の色空間とCIELAB色空間における画素データとは直接変換するすべがない点である。そのため本実施例においては、一つの過渡色空間によることが必要とされ、例えばCIEXYZ色空間と協力して、画像の赤-緑-青の色空間におけるの第１画素データを上述画像のCIELAB色空間におけるの第２画素データに変換する。具体的なやり方は、第１の画素データに対して色空間変換を行うことを以って遷移色空間において第１画素データに対応する遷移画素データを取得する。続いて、再び遷移画素データに対して色空間変換を行うことを以ってCIELAB色空間において遷移画素データに対応する第２画素データを取得する。
【００２６】
ステップＳ２６０において、画像処理ユニット１４０は色調整モデルを利用してそれぞれの第２画素データにおける第１色成分(a*)と第２色成分(b*)を調整することを以って複数のセットの第３画素データを取得する。本実施例において提供する色調整モデルは、以下の式（１）で定められる。
【数３】
2014220815.tif 000005
・・・・・・式（１）
ここで、ｘは入力された第１の色成分(a*)若しくは第２の色成分(b*)であり、f(x)は第１の色成分(a*)若しくは第２の色成分(b*)が０〜１の範囲の間にマッピングされた色マッピングの値であり、パラメーターｔとγは制御パラメータであり、パラメータｐとｑは制限パラメータであり、g(x)は色マッピングの値を色調整モデルを経て調整した後の色調整値である。本発明の実施例において、制限パラメータｐとｑは整数が好ましい。
【００２７】
図４は本発明の一実施例における色調整モデルのグラフである。図４及び上述した色彩調整モデル（式１）を参照すると、図４における曲線は色調整モデル（式１）における色マッピングの値f(x)と色調整値g(x)の間の対応関係であり、換言すると、入力された第１の色成分(a*)若しくは第２の色成分(b*)、並びに出力された第１の色成分(a*)若しくは第２の色成分(b*)の間の対応関係である。色彩調整モデル（式１）を利用して第２画素データにおける第１色彩成分(a*)と第２色彩成分(b*)を調整するとき、入力された第１の色成分(a*)若しくは第２の色成分(b*)は先に０〜１の範囲の間にマッピングされることにより色マッピングの値f(x)を取得し、かつ色彩調整された後、色彩調整値g(x)を改めて第１の色成分(a*)若しくは第２の色成分(b*)の数値範囲の中にマッピングし直すことにより、複数のセットの第３画素データを取得する。第３画素データは輝度成分(L*)、第１の色成分(a*)、及び第２の色成分(b*)を含む。
【００２８】
本実施例において、制御パラメータｔとγ、及び制限パラメータｐとｑは、第１色成分(a*)と第２色成分(b*)の改変幅は対応して調整することができる。制限パラメータｔとγは第１の色成分(a*)と第２の色成分(b*)が調整される程度を決定することができ、制限パラメータｐとｑは第１の色成分(a*)と第２の色成分(b*)に用いられることにより、第１の色成分(a*)と第２の色成分(b*)が過度に増やされて映像の色に飽和が発生してしまう状況を回避することができる。本実施例において、好ましくは制御パラメータγとｔはそれぞれ０≦γ≦４、並びに０．９９≦ｔ≦１．９１の範囲であり、制限パラメータｐとｑはそれぞれ０＜ｐ≦２、並びに０＜ｑ≦１の範囲である。
【００２９】
同様に、CIELAB色空間において、第１の色成分(a*)は単一画素の色が赤色と緑色（反対色）の間で偏向する程度を表し、第２色成分(b*)は単一画素色が黄色と青色（反対色）の間で偏向する程度を表す。このため、図４の対応関係において、入力された色マッピングの値f(x)が”１”に偏向するほど、第１の色成分(a*)は赤色に偏向することを表し、若しくは第２の色成分(b*)は黄色に偏向することを表す。これに対し、入力された色マッピング値f(x)が”０”に偏向するほど、第１の色成分(a*)は緑色に偏向することを表し、又は第２色の成分(b*)が青色に偏向することを表す。図４から分かる様に、色調整モデルは色成分が反対色の色偏差の程度を調整する機能を有する。具体的には、入力された色マッピングの値f(x)が0.8のときは、色調整モデル（式１）を経て調整された後、図４において出力される色調整値は０．９となる。色調整モジュールを経て調整された後、ｘが第１の色成分(a*)の場合には、第１の色成分(a*)は赤色に偏向されることを表し、又はｘが第２色の成分(b*)であれば、第２色の成分(b*)は黄色に偏向することを表す。
【００３０】
CIELAB色空間において、彩度C*の定義は、
【数４】
2014220815.tif 000006
・・・・・式（２）
であり、色の飽和度
2014220815.tif 000007
の定義は次の通りである。
【数５】
2014220815.tif 000008
・・・・・・・・・・式（３）
一般に、CIELAB色空間における第１の色成分(a*)と第２の色成分(b*)の数値範囲は−Ｒ≦a*≦Ｒと−Ｒ≦b*≦Ｒに適合し、ここでＲは任意の整数である。上述の様に、色調整モデル（式１）は、色調整成分が反対色の間で偏向する程度を調整する機能を有する。
【００３１】
再び図１と図２を参照し、複数の第３の画素データを取得した後、画像処理ユニット１４０はステップＳ２８０において、複数セットの第３の画素データに対して色空間変換を行い、第１の色空間において、第３の画素データに対応する複数セットの第４の画素データを取得する。本実施例において、第１の色空間は赤-緑-青色空間であるため、第４の画素データも同様に赤色成分、緑色成分、及び青色成分を含む。
【００３２】
図３は本発明の他の実施例により示された画像色の調整方法のフローチャートである。本実施例において、色調整モジュール（式１）を利用して、各セットの第２の画素データにおける第１の色成分(a*)と第２の色成分(b*)を調整する方法は２つに分けられても良い。一方は第２画素データに対して色増強処理を行うことであり、他方は第２画素データの一部に対して色調整処理を行うことである。図３を参照し、ステップＳ２４０において第１画素データに対して色空間変換を行い、CIELAB色彩空間において撮像された複数セットの第２画素データを取得した後、画像処理ユニット１４０がステップＳ２６２において色調整モジュール（式１）を利用して、第２画素データにおける第１の色成分(a*)と第２の色成分(b*)を増強する。調整制御パラメータｔとγ及び制限パラメータｐと１を利用して、色調整モジュール（式１）は図４における対応関係の如く第１の色成分(a*)と第２の色成分(b*)を調整することができ、第１の色成分(a*)と第２の色成分(b*)を増強し、第２画素データの色の飽和度(Color Saturation)を向上する目的を達成することができる。
【００３３】
第２画素データにおける第１画素データと第２画素データに対して色増強処理を行うことの他、本実施例は更に撮影中の皮膚の色の区域の色に対して調整することを含む。撮影中に現在の皮膚色を呈する色の区域（通常は撮影中において人物の存在がある）がある場合、画像処理ユニット１４０はステップＳ２６２において色の増強処理をした後、更に皮膚の色の区域に対応する第２画素データの第１色彩成分(a*)と第２色彩成分(b*)を調整し、ディスプレイスクリーン１６０に画像において皮膚色を呈する色の区域を表現させる。
【００３４】
図３を参照し、ステップＳ２２０において画像の第１の色空間における複数セットの第１の画素データを取得した後、画像処理装置１４０は更にステップＳ２４２において、複数セットの第１画素データに対して色空間変換を行い、画像の第２の色空間における複数セットの第５の画素データを取得する。具体的には、第２の色空間はHSV色空間でも差し支えなく、各第５の画素データは色相成分（Ｈ）、飽和度成分(S)及び輝度成分（Ｖ）を含む。更に、ステップＳ２４４において、複数セットの第５の画素データは皮膚の色の検出を行い、画像において皮膚色を呈する皮膚色区域を具備するか否かを判断する。図１を参照し、画像処理ユニット１４０においては更に皮膚の色の検出ユニット１４２を含み、画像における皮膚の色の区域を検出する。HSV色空間を例にとり、皮膚の色の検出ユニット１４２は色相成分(H)、 飽和度成分（Ｓ）、及び輝度成分（Ｖ）をそれぞれ設定することにより、範囲を適当にして、第５画素データと対比を行い、画像におけいて皮膚の色の区域を有するか否かを判断する。
【００３５】
撮影中に皮膚の色の区域がない場合には、ステップＳ２６２において、色調整モデル（式１）によち調整された後に得られた複数セットの第３の画素データが取得され、かつ画像処理ユニット１４０はステップＳ２８０において第１の色空間において第３の画素データに対応する第４画素データを取得する。これに対し、撮影中に皮膚の色の区域がある場合には、画像処理ユニット１４０はステップＳ２６４において、色調整モデル（式１）の調整部の第２画素データの第１色成分(a*)と第２色成分(b*)を利用して、前記部分の第２の画素データは撮影中の皮膚の色の区域に対応させる。
【００３６】
詳細には、調整パラメータｔとγ及び制限パラメータｐとｑにより、色調整モデル（式１）と同様に皮膚の色の区域に対して調整を行っても良い。注意すべきこととして、ステップＳ２６２とステップＳ２６４において、色調整モデル（式１）の制御パラメータとγ及び制限パラメータｐとｑは、設定上決して一致しないことである。ステップＳ２６２において、第２画素データの第１の色成分(a*)と第２の色成分の色調整(b*)の色調整モデル（式１）ステップを用いるものと比較すると、ステップＳ２６４における色調整モデル（式１）は比較的低い制御パラメータｔとγの値を有するため、皮膚の色の区域の色飽和度を低下げるのに適している。最後に、画像処理ユニット１４０はステップＳ２６２とステップＳ２６４を経て調整される第３の画素データを取得し、ステップＳ２８０における第１の色空間において、第３の画素データに対応した第４の画素データを取得する。
【００３７】
上述のように、本実施例で提供される画像色調整方法及び電子装置は、撮影においてその他の色空間の画素データを定義し、CIELAB色空間に変換し、かつ提出された色調整モデルによって、映像の歪みを生じさせない若しくは鮮やかになりすぎない状況下において、画像の色飽和度を調整することができる。また、画像色調整方法は画像におけいて皮膚の色を呈する色の領域が存在するか否かを検出し、かつ撮影中の皮膚の色の区域に対して、同様の色彩調整モデルを用いて調整を行うことにより、ディスプレイスクリーンに更に良い画像における皮膚の色の区域を呈するようにさせる。
【００３８】
本発明の実施例は上述したとおりだが、決してこれらの実施例に限られるものでは無く、その技術の通常の技術常識を有する者が、本発明の精神と範囲を逸脱しない範囲において、修正及び変更がゆるされるものであり、故に本願の保護範囲はこれと均等の範囲にまで及ぶもものである。
【符号の説明】
【００３９】
１００    電子装置
１２０    画像受信ユニット
１４０    画像処理ユニット
１４２    皮膚色検出ユニット
１６０    ディスプレイスクリーン
Ｓ２２０、Ｓ２４０、Ｓ２４２、Ｓ２４４、Ｓ２６２、Ｓ２６４、Ｓ２８０    画像色調整方法のステップ
【図１】
2014220815.tif 000011
【図２】
2014220815.tif 000012
【図３】
2014220815.tif 000013
【図４】
2014220815.tif 000014
【外国語明細書】
2014220815000001.pdf